(57)【要約】  報告モードを具備し、アップリンク（ＵＬ）セルでＰＵＳＣＨ送信を通じてユーザ端末（ＵＥ）から送信されるチャンネル状態情報（ＣＳＩ）を送信する方法及び装置が提供され、上記ＵＬセルはＣＳＩ送信を表示するＣＳＩ要請フィールドを含むダウンリンク制御情報（ＤＣＩ）フォーマットの受信に対して応答するダウンリンク（ＤＬ）セルと関連し、上記ＣＳＩ送信は各々の基準信号の測定と各々関連したＣＳＩプロセスセットのうちの１つに対応する。上記方法は、上記ＣＳＩ要請フィールドからＣＳＩ送信に対するＣＳＩプロセスセットの表示を獲得するステップ、及び上記ＣＳＩ要請フィールドにより表示されたＣＳＩプロセスセットに対するＣＳＩを送信するステップを含み、上記ＣＳＩ要請フィールドは第１解釈のセットを有する２ビットの第１のＣＳＩプロセスセットを含む。
2015510720.tif 000002
【特許請求の範囲】
【請求項１】
通信システムにおけるチャンネル状態情報（ＣＳＩ）を送信する方法であって、
前記ＣＳＩは報告モードを具備し、ＵＬセルで物理的アップリンク（ＵＬ）共有チャンネル（ＰＵＳＣＨ）送信を通じてユーザ端末（ＵＥ）から送信され、前記ＵＬセルはダウンリンク（ＤＬ）セルと関連し、前記ＰＵＳＣＨ送信は前記ＵＥによるＣＳＩ送信を表示するＣＳＩ要請フィールドを含むダウンリンク制御情報（ＤＣＩ）フォーマットの受信に対する応答であり、前記ＣＳＩは各々の基準信号の測定と各々関連したＣＳＩプロセスセットのうちの１つに対応し、前記方法は、
前記ＣＳＩ要請フィールドからＣＳＩ送信に対するＣＳＩプロセスセットの表示を獲得するステップと、
前記ＣＳＩ要請フィールドにより表示されたＣＳＩプロセスセットに対するＣＳＩを送信するステップとを含み、
前記ＣＳＩ要請フィールドは第１解釈のセットを有する２ビットの第１のＣＳＩプロセスセットを含み、
前記２ビットの第１のＣＳＩプロセスセットにおいて、前記第１解釈のセットは‘００’の２ビット値はＣＳＩ送信が無いことを示し、‘０１’の２ビット値はＤＬセルに対応するＣＳＩプロセスセットに対するＣＳＩ送信を示し、‘１０’の２ビット値は第１のＣＳＩプロセスセットに対するＣＳＩ送信を示し、‘１１’の２ビット値は第２のＣＳＩプロセスセットに対するＣＳＩ送信を示す、方法。
【請求項２】
前記第１のＣＳＩプロセスセット及び前記第２のＣＳＩプロセスセットは、上位階層シグナリングを通じて基地局によりＵＥに対して設定される、請求項１に記載の方法。
【請求項３】
前記報告モードは、前記第１のＣＳＩプロセスセットに対する上位階層シグナリングを通じて前記基地局によりＵＥに対して設定され、前記第２のＣＳＩプロセスセットに対する報告モードは、前記第１のＣＳＩプロセスセットに対する報告モードと同一である、請求項２に記載の方法。
【請求項４】
前記ＤＣＩフォーマット内のＣＳＩ要請フィールドは、前記ＵＥが単一のＣＳＩプロセスを有する場合、第２解釈のセットを有し、前記第２解釈のセットは前記第１解釈のセットと共通の少なくとも２つの解釈を有する、請求項１に記載の方法。
【請求項５】
前記第１のＣＳＩプロセスセットに対するＣＳＩは第１ペイロード（payload）を有し、前記第２のＣＳＩプロセスセットに対するＣＳＩは第２ペイロードを有する、請求項１に記載の方法。
【請求項６】
前記ＵＥは複数の送信ポイントから、及び複数の帯域幅でデータを受信し、前記第１のＣＳＩプロセスセットは第１個数の前記複数の送信ポイントまたは前記複数の帯域幅の各々に対するＣＳＩを提供し、前記第２のＣＳＩプロセスセットは第２個数の前記複数の送信ポイント、または前記複数の帯域幅の各々に対するＣＳＩを提供する、請求項１に記載の方法。
【請求項７】
通信システムにおけるチャンネル状態情報（ＣＳＩ）を送信する方法であって、
前記ＣＳＩは報告モードを具備し、物理的アップリンク共有チャンネル（ＰＵＳＣＨ）送信を通じてユーザ端末（ＵＥ）から送信され、前記ＰＵＳＣＨ送信は前記ＵＥによるＣＳＩ送信を表示するＣＳＩ要請フィールドを含むダウンリンク制御情報（ＤＣＩ）フォーマットの受信に対する応答であり、前記方法は、
前記ＣＳＩが基準信号の測定と関連した単一のＣＳＩプロセスに関するものである場合、第１ビットで前記ＣＳＩ要請フィールドを表すステップと、
前記ＣＳＩが複数のＣＳＩプロセスセットのうちから選択された少なくとも１つのＣＳＩプロセスセットに関するものである場合、第２ビットで前記ＣＳＩ要請フィールドを表すステップとを含み、
前記各々のＣＳＩプロセスセットは各々の基準信号の測定と関連し、また、
前記少なくとも１つのＣＳＩプロセスセットの選択は、前記ＣＳＩ要請フィールド値に基づき、前記第２ビットは前記第１ビットより大きい、方法。
【請求項８】
ＣＳＩ報告状態が前記第１ビットにより表した前記ＣＳＩ要請フィールドにより表され、前記第１ビットにより表した前記ＣＳＩ要請フィールドにより表されたＣＳＩ報告状態は、前記第２ビットにより表した前記ＣＳＩ要請フィールドにより表されたＣＳＩ報告状態のサブセットである、請求項７に記載の方法。
【請求項９】
前記第２ビットは、前記ＤＣＩフォーマット内の前記ＣＳＩ要請フィールドに対するサイズ増加により獲得される、請求項７に記載の方法。
【請求項１０】
前記第２ビットは、前記ＰＵＳＣＨで基準信号を送信するために前記ＵＥが使用する循環シフト（cyclic shift）及び直交カバーリングコード（orthogonal covering code）を表示する前記ＤＣＩフォーマット内のフィールドのうちから前記第２ビットと前記第１ビットとの間の差と同一なビットの数を再解釈することにより獲得される、請求項７に記載の方法。
【請求項１１】
第２ビットを有する前記ＣＳＩ要請フィールドは１つより多いＣＳＩプロセスのセットに対するものである、請求項７に記載の方法。
【請求項１２】
請求項１から６のいずれか一項の方法を遂行するように構成された、ユーザ端末（ＵＥ）装置。
【請求項１３】
請求項７から１１のいずれか一項の方法を遂行するように構成された、ユーザ端末（ＵＥ）装置。
【発明の詳細な説明】
【技術分野】
【０００１】
本発明は無線通信システムに関し、より詳しくは、無線通信システムにおけるチャンネル状態情報フィードバックの提供に関する。
【背景技術】
【０００２】
通信システムは、基地局（ＢＳ）、例えばＮｏｄｅＢからユーザ端末（ＵＥ）に送信される信号であるダウンリンク（ＤＬ）信号、及びＵＥからＮｏｄｅＢに送信される信号であるアップリンク（ＵＬ）信号を送信及び／又は受信することを含むことができる。端末、移動局、個人用コンピュータ（ＰＣ）、または任意の他の類似及び／又は適切な電子デバイスでありうるＵＥは、固定型、移動型または無線デバイスでありうる。ＮｏｄｅＢは固定局（fixed station）であることがあり、またＵＥからＵＬ信号を受信するデバイスを説明するためのＢＴＳ（Base Transceiver System）、アクセスポイント、または任意の他の類似な及び／又は適切なデバイス名と指称できる。
【０００３】
ＮｏｄｅＢは、物理的ＤＬ共有チャンネル（Physical DL Shared CHannel；ＰＤＳＣＨ）を使用してＵＥにデータ情報を送信し、物理的ＤＬ制御チャンネル（Physical DL Control CHannel；ＰＤＣＣＨ）を使用してＵＥにＤＬ制御情報（DL Control Information；ＤＣＩ）を送信する。ＵＥは、物理的ＵＬ共有チャンネル（Physical UL Shared CHannel；ＰＵＳＣＨ）を使用してＮｏｄｅＢにデータ情報を送信し、物理的ＵＬ制御チャンネル（Physical UL Control CHannel；ＰＵＣＣＨ）を使用してＮｏｄｅＢにＵＬ制御情報（UL Control Information；ＵＣＩ）を送信する。ＵＥが同一の送信時間間隔（Transmission Time Interval；ＴＴＩ）でデータ情報及びＵＣＩを送信する場合、ＵＥはＰＵＳＣＨでデータ情報と一緒にＵＣＩをマルチプレキシングすることによってＰＵＣＣＨでＵＣＩを送信しないようにすることができる。
【０００４】
ＵＣＩはチャンネル状態情報（Channel State Information；ＣＳＩ）を含むことができ、これはチャンネル品質指示子（Channel Quality Indicator；ＣＱＩ）情報及びプリコーディングマトリックス指示子（Precoding Matrix Indicator；ＰＭＩ）情報を含むことができる。ＣＳＩは、ＵＥが経験するＤＬチャンネル状態をＮｏｄｅＢに通知し、これによって、ＮｏｄｅＢはＵＥにＰＤＳＣＨまたはＰＤＣＣＨ送信のために適切なパラメータ、例えば送信電力、ＭＣＳ（Modulation and Coding Scheme）、及び任意の他の類似な及び／又は適切なパラメータを選択することができ、各々のデータ情報またはＤＣＩを送信するために所望のブロック誤り率（Block Error Rate；ＢＬＥＲ）を保証することもできる。ＣＱＩは、サブ−帯域または全利用ＤＬ帯域幅（ＢＷ）を通じて信号対干渉及び雑音比率（ＳＩＮＲ）の測定値を提供し、ＣＱＩはＵＥに送信されるデータ転送ブロックサイズ（Transport Block Size；ＴＢＳ）に対するＢＬＥＲターゲット（target）が達成できる最も高いＭＣＳを表す情報として提供できる。ＰＭＩは、多重−入力 多重−出力（Multiple-Input Multiple-Output；ＭＩＭＯ）方式によって、複数のＮｏｄｅＢアンテナからＵＥに送信される信号を結合する方式をＮｏｄｅＢに通知する。
【０００５】
ＵＥは、ＮｏｄｅＢから送信されるＤＬ基準信号（Reference Signal；ＲＳ）に基づいてＣＳＩを測定する。相異するＣＳＩプロセスは、相異するＲＳまたはＤＬ ＢＷの相異する部分で同一なＲＳから各々獲得できる相異するＣＳＩ測定と関連付けることができる。ＣＳＩは、ＰＵＣＣＨまたはＰＵＳＣＨで送信できる。ＰＵＣＣＨでのＣＳＩ送信は周期的に発生するようにＮｏｄｅＢにより準−静的に設定されることができ、即ちＰＵＣＣＨでのＣＳＩ送信は周期的なＣＳＩであり、過度なオーバーヘッドを防止するために、小さいＣＳＩペイロード（payload）、例えば約１０個の情報ビットまでを有するＣＳＩペイロードのみをサポートすることができる。ＰＵＳＣＨでＣＳＩはＮｏｄｅＢにより動的にトリガーされることができ、即ちＰＵＳＣＨでのＣＳＩ送信はＰＵＳＣＨ送信をスケジューリングするＰＤＣＣＨにより伝達されるＤＣＩフォーマットの“ＣＳＩ要請”フィールドを通じての非周期的ＣＳＩであり、それはＰＤＳＣＨスケジューリングに対する詳細情報をＮｏｄｅＢに提供するようにするための大きいＣＳＩペイロードをサポートすることができる。
【０００６】
図１は、従来技術によるＵＬ ＴＴＩでのＰＵＳＣＨ送信構造を図示する。
【０００７】
図１を参照すると、ＵＬ ＴＴＩ １００は、２つのスロット１２０を含む１つのサブフレーム１１０を含むことができる。各スロット１２０は、ＵＬ ＲＳ送信１４０、データ情報、ＵＣＩ、及び任意の他の類似な及び／又は適切なデータまたは情報を送信するためのシンボル１３０の数、
【０００８】
【数１】
2015510720.tif 000003
【０００９】
を含む。図１に示すように、各スロット１２０は７個のシンボル１３０を含むことによって、
【００１０】
【数２】
2015510720.tif 000004
【００１１】
となる。ＵＬ ＲＳ送信１４０はチャンネル推定を提供し、データ情報またはＵＣＩのコヒーレント復調（coherent demodulation）を可能にする。ＵＬ ＲＳは、循環シフト（Cyclic Shift；ＣＳ）が割り当てられるＺＣ（Zadoff-Zhu）シーケンスを使用して送信されることができ、サブフレーム内の２つのＵＬ ＲＳは｛１１｝または｛１−１｝の値を有する直交カバーリングコード（Orthogonal Covering Code；ＯＣＣ）によりさらに変調されることもできる。ＰＵＳＣＨ送信ＢＷはリソースブロック（Resource Blocks；ＲＢｓ）と指称される周波数リソースユニットを含む。各々のＲＢは、
【００１２】
【数３】
2015510720.tif 000005
【００１３】
サブ−キャリア、またはリソース要素（Resource Elementｓ；ＲＥs）を含み、ＵＥにはＰＵＳＣＨ送信のための
【００１４】
【数４】
2015510720.tif 000006
【００１５】
ＲＢ１５０が割り当てられることによって、総ＲＥは
【００１６】
【数５】
2015510720.tif 000007
【００１７】
となる。
【００１８】
図２は、従来技術によるＰＵＳＣＨに対するＵＥ送信機ブロック図を図示する。
【００１９】
図２を参照すると、ＵＥ送信機２００において、コーディングされたＣＳＩビット２０５及びコーディングされたデータビット２１０がマルチプレクサ２２０によりマルチプレキシングされる。次に、組合せ型データビット及びＣＳＩビットの離散フーリエ変換（Discrete Fourier Transform；ＤＦＴ）がＤＦＴユニット２３０により獲得される。次に、ＲＥがサブ−キャリアマッピングユニット２４０に提供されることによって、割り当てられた送信ＢＷに対応するＲＥが送信ＢＷ２５０に対する制御器により選択されるようにし、その後に逆高速フーリエ変換（Inverse Fast Fourier Transform；ＩＦＦＴ）がＩＦＦＴユニット２６０により遂行される。次に、ＣＰ（Cyclic Prefix）挿入ユニットによりＣＰが挿入され、タイムウィンドーイングユニット２８０によりフィルタリングが遂行されることによって送信信号２９０を生成する。簡略化のために、データビットまたはＣＳＩビットに対するエンコーディングプロセス及び全ての送信ビットに対する変調プロセスは省略する。
【００２０】
図３は、従来技術によるＰＵＳＣＨに対するＮｏｄｅＢ受信機ブロック図を図示する。
【００２１】
図３を参照すると、ＮｏｄｅＢ受信機３００は、信号３１０を受信し、タイムウィンドーイングユニット３２０を使用して受信信号３１０をフィルタリングする。次に、ＣＰ除去ユニット３３０はＣＰを除去し、次に高速フーリエ変換（Fast Fourier Transform；ＦＦＴ）ユニット３４０はＦＦＴを適用してサブ−キャリアデマッピングユニット３５０にＲＥを提供し、受信帯域幅用制御器３６０は送信機により使われたＲＥを選択する。次に、ＩＤＦＴ（Inverse DFT）ユニット３７０がＩＤＦＴを適用し、デマルチプレクサ３８０がＩＤＦＴユニット３７０から受信された信号をデマルチプレキシングすることによって、データビット３９０及びＣＳＩビット３９５を生成する。
【００２２】
非周期的ＣＳＩ報告での情報は、上位階層シグナリングを通じてＮｏｄｅＢにより設定されたＵＥの各々の非周期的ＣＳＩモードにより決定できる。例えば、非周期的ＣＳＩモードは、複数のサブ−帯域に対するＣＱＩ及びＰＭＩを伝達するための測定に基づくことができ、このようなモードはモード２−２と指称されることができ、または複数のサブ−帯域に対するＣＱＩ及びＰＭＩ無しを伝達するための測定に基づくことができ、これはモード３−１と指称できる。非周期的ＣＳＩモードは、上位階層シグナリングを通じてＮｏｄｅＢにより設定されたＵＥのＰＤＳＣＨ送信モード（Transmission Mode；ＴＭ）と関連付けることができる。例えば、送信ダイバーシティー（diversity）のＰＤＳＣＨ ＴＭにおいて、モード３−１が使われることができ、空間マルチプレキシングのＰＤＳＣＨ ＴＭにおいて、モード２−２が使われることができる。これと類似するように、周期的ＣＳＩ報告での情報は上位階層シグナリングにより設定されたＵＥの各々の周期的ＣＳＩモードにより決定されることができ、またＰＤＳＣＨ ＴＭとも関連する。例えば、送信ダイバーシティーを使用するＰＤＳＣＨ ＴＭにおいて、周期的ＣＳＩ報告は広帯域ＣＱＩを伝達するための測定に基づくことができ、これはモード１−０と指称されることができ、またはサブ−帯域ＣＱＩ及びＰＭＩ無しを伝達するための測定に基づくことができ、これはモード２−０と指称できる。また、空間マルチプレキシングを使用するＰＤＳＣＨ ＴＭにおいて、周期的ＣＳＩ報告は広帯域ＣＱＩを伝達することができ、これはモード１−１と指称されることができ、またはサブ−帯域ＣＱＩ及び単一ＰＭＩを伝達することができ、これはモード２−１と指称できる。
【００２３】
ＵＥに対する送信データ速度を増加させるために、複数のＤＬセルが集成されることができ、複数のＰＤＳＣＨがＵＥに各々送信されることができ、このようなプロセスはＤＬキャリアアグリゲーション（Carrier Aggregation；ＣＡ）と指称できる。各ＤＬセルのＰＤＳＣＨ送信パラメータは各々のスペクトル効率（spectral efficiency）を極大化するために独立的でありうる。サブフレームでＵＥにＰＤＳＣＨを伝達することができるＤＬセルは、アクティブＤＬセルと指称できる。各アクティブＤＬセルに対する独立的リンク適応を可能にするために、ＵＥは各々のＣＳＩを提供しなければならない。類似した原理がＵＥに対するＤＬ ＣｏＭＰ（Coordinated Multiple Point）送信に適用され、ここで複数の送信ポイント（Transmission Point；ＴＰ）ＮｏｄｅＢはＵＥに同一なデータ情報を送信する。
【００２４】
ＵＥがＵＬ ＣＡ能力を有することができない、またはより適切であるＵＬセルでの例えば経路損失（path-loss）のようなチャンネル状態、、またはシステム設計の単純化のため、ＵＥが単一のＵＬセルのみを使用してＰＵＣＣＨを送信するケースにおいて、各々の複数ＤＬセルに対する複数の周期的ＣＳＩ報告の送信は、単一ＤＬセルに対する周期的ＣＳＩを信頼的に伝達することに充分なペイロード容量のみを有することができるＰＵＣＣＨに依存するような場合には問題になることがある。
【００２５】
上記の制限は、ＵＥが単一セルに対する周期的ＣＳＩ報告を伝達するＰＵＣＣＨフォーマットを使用して相異するサブフレームで各アクティブＤＬセルに対する周期的ＣＳＩ報告を送信することにより回避できる。しかしながら、このような周期的ＣＳＩ報告の時分割マルチプレキシング（Time Division Multiplexing；ＴＤＭ）は過大な報告周期を必要とすることがあり、これはＵＥにより使われるＤＬチャンネルが連続する周期的ＣＳＩ報告の間で変更される時に、各々のＰＤＳＣＨ送信のスペクトル効率の低下をもたらすことがある。例えば、ＴＤＤシステムで、計１０個以上のサブフレームのＵＬサブフレームの数は、特に高いＤＬデータ速度をサポートするが、小さいことがある。
【００２６】
これとは異なり、上記の制限を回避するために、非周期的ＣＳＩに依存することがある。例えば、ＵＥがデータパケットの受信に対する応答としてＰＵＳＣＨで伝送制御プロトコル（Transmission Control Protocol；ＴＣＰ）ＡＣＫ（Acknowledgement）を伝達しなければならない時に、ＮｏｄｅＢはＵＥに該当ＰＵＳＣＨで非周期的ＣＳＩをマルチプレキシングすることを指示することもある。これは、ＰＵＳＣＨをスケジューリングするためのＤＣＩフォーマットの２−ビットＣＳＩ要請フィールドを含むことによって行なわれることができる。２−ビットＣＳＩ要請の一例を＜表１＞に示す。“００”値はＰＵＳＣＨで非周期的ＣＳＩマルチプレキシングを行なわないことを表し、“０１”値はＵＥがサービングＤＬセルのＰＵＳＣＨ送信のＵＬセルにリンク及びペアリングされたＤＬセルに対してのみ非周期的ＣＳＩをマルチプレキシングしなければならないことを表す。また、“１０”または“１１”の値は、ＵＥがＲＲＣ（Radio Resource Control）シグナリングのような上位階層シグナリングにより第１セットまたは第２セットのセルに設定されるＤＬアクティブセルのうち、各々の第１セットまたは第２セットに対する非周期的ＣＳＩをマルチプレキシングしなければならないことを表す。
【００２７】
【表１】
2015510720.tif 000008
【発明の概要】
【発明が解決しようとする課題】
【００２８】
非周期的ＣＳＩを使用する処理方式は、複数のＤＬセルに対する非周期的ＣＳＩ報告をサポートすることはできるが、適時に周期的ＣＳＩ報告を提供するための理想的な解決策ではない。一般的に、非周期的ＣＳＩ報告は予め決定されたＣＳＩ測定プロセスと固有に関連するので、複数のＣＳＩ測定プロセスから選択されるＣＳＩ測定プロセスに対する非周期的ＣＳＩ報告をサポートすることが不可能なこともある。例えば、従来の非周期的ＣＳＩ測定と従来の周期的ＣＳＩ測定との間で、または第１のＤＬ ＲＳからの測定と第２のＤＬ ＲＳからの測定との間で選択される非周期的ＣＳＩ報告を表すようにするＣＳＩ要請フィールドに対する能力は現在存在しない。
【００２９】
したがって、複数のＣＳＩプロセスのうちから選択されたＣＳＩプロセスに対する非周期的ＣＳＩ報告を可能にすることが必要である。また、非周期的ＣＳＩ報告のために、ＵＥに複数のＣＳＩプロセスのうちからＣＳＩプロセスを示す必要がある。また、非周期的ＣＳＩ報告のために、複数のＣＳＩプロセスのうちから１つ以上のＣＳＩプロセスを示すようにするＤＣＩフォーマット能力を向上させる必要がある。
【００３０】
以上の情報は単に本発明の理解を助けるための背景情報として提供される。上記のうちのどれが本発明に対する従来技術として適用できるか否かに関しては、何ら特定する意図はないし、如何なる主張もなされない。
【課題を解決するための手段】
【００３１】
したがって、本発明の態様は少なくとも前述した従来の制限及び問題点を解決するように構成されたものであり、本発明はユーザ端末（ＵＥ）により送信される物理的アップリンク共有チャンネル（ＰＵＳＣＨ）で、複数のＣＳＩプロセスのセットから１つ以上のＣＳＩプロセスのセットに対するチャンネル状態情報（ＣＳＩ）をマルチプレキシングする方法及び装置を提供する。基地局によりＵＥに対して設定される複数のＣＳＩプロセスのセットから１つ以上のＣＳＩプロセスのセットを示すためのダウンリンク制御情報（ＤＣＩ）フォーマット内のＣＳＩ要請フィールドのマッピングが提供される。また、ＣＳＩ報告に対するＣＳＩプロセスのセットを表示するに当たって、柔軟性を提供するために、ＣＳＩ要請フィールドに対するビットの個数を増加させるようにする既存のＤＣＩフォーマットに対する変形が提供される。
【００３２】
本発明の一態様によれば、通信システムにおけるチャンネル状態情報（ＣＳＩ）を送信する方法であって、上記ＣＳＩは報告モードを具備し、ＵＬセルで物理的アップリンク（ＵＬ）共有チャンネル（ＰＵＳＣＨ）送信を通じてユーザ端末（ＵＥ）から送信され、上記ＵＬセルはダウンリンク（ＤＬ）セルと関連し、上記ＰＵＳＣＨ送信は上記ＵＥによるＣＳＩ送信を表示するＣＳＩ要請フィールドを含むダウンリンク制御情報（ＤＣＩ）フォーマットの受信に対する応答であり、上記ＣＳＩは各々の基準信号の測定と各々関連したＣＳＩプロセスセットのうちの１つに対応する上記通信システムにおけるチャンネル状態情報（ＣＳＩ）を送信する方法が提供される。上記方法は、上記ＣＳＩ要請フィールドからＣＳＩ送信に対するＣＳＩプロセスセットの表示を獲得するステップと、上記ＣＳＩ要請フィールドにより表示されたＣＳＩプロセスセットに対するＣＳＩを送信するステップを含み、上記ＣＳＩ要請フィールドは第１解釈のセットを有する２ビットの第１のＣＳＩプロセスセットを含み、上記２ビットの第１のＣＳＩプロセスセットにおいて、上記第１解釈のセットは‘００’の２ビット値はＣＳＩ送信が無いことを示し、‘０１’の２ビット値はＤＬセルに対応するＣＳＩプロセスセットに対するＣＳＩ送信を示し、‘１０’の２ビット値は第１のＣＳＩプロセスセットに対するＣＳＩ送信を示し、‘１１’の２ビット値は第２のＣＳＩプロセスセットに対するＣＳＩ送信を示す。
【００３３】
本発明の他の態様によれば、通信システムにおけるチャンネル状態情報（ＣＳＩ）を送信する方法であって、上記ＣＳＩは報告モードを具備し、物理的アップリンク共有チャンネル（ＰＵＳＣＨ）送信を通じてユーザ端末（ＵＥ）から送信され、上記ＰＵＳＣＨ送信は上記ＵＥによるＣＳＩ送信を表示するＣＳＩ要請フィールドを含むダウンリンク制御情報（ＤＣＩ）フォーマットの受信に対する応答である、上記通信システムにおけるチャンネル状態情報（ＣＳＩ）を送信する方法が提供される。上記方法は、上記ＣＳＩが基準信号の測定と関連した単一のＣＳＩプロセスに関するものである場合、第１ビットで上記ＣＳＩ要請フィールドを表すステップと、上記ＣＳＩが複数のＣＳＩプロセスセットのうちから選択された少なくとも１つのＣＳＩプロセスセットに関するものである場合、第２ビットで上記ＣＳＩ要請フィールドを表すステップを含み、上記各々のＣＳＩプロセスセットは各々の基準信号の測定と関連し、また上記少なくとも１つのＣＳＩプロセスセットの選択は上記ＣＳＩ要請フィールド値に基づき、上記第２ビットは上記第１ビットより大きい。
【００３４】
本発明の他の態様によれば、チャンネル状態情報（ＣＳＩ）を送信するユーザ端末（ＵＥ）装置であって、上記ＣＳＩはＵＬセルでの物理的アップリンク（ＵＬ）共有チャンネル（ＰＵＳＣＨ）を介しての報告モードを具備し、上記ＵＬセルは各々の基準信号の測定と関連したＣＳＩプロセスセットに対応する上記チャンネル状態情報（ＣＳＩ）を送信するユーザ端末（ＵＥ）装置が提供されている。上記装置は、上記ＰＵＳＣＨ送信をスケジューリングするためにダウンリンク制御情報（ＤＣＩ）フォーマットを受信する受信機であって、上記ＤＣＩフォーマットはＣＳＩプロセスセットに対するＣＳＩ送信を表示するＣＳＩ要請フィールドを含む上記受信機と、上記ＣＳＩ要請フィールドにより表示された上記ＣＳＩプロセスセットに対するＣＳＩ送信を送信する送信機であって、上記ＣＳＩ要請フィールドは第１解釈のセットを有する２ビットを含む上記送信機を含み、上記２ビットの第１解釈のセットは、‘００’の値がＣＳＩ送信が無いことを示し、‘０１’の値はＤＬセルに対応するＣＳＩプロセスセットに対するＣＳＩ送信を示し、‘１０’の値は第１のＣＳＩプロセスセットに対するＣＳＩ送信を示し、‘１１’の値は第２のＣＳＩプロセスセットに対するＣＳＩ送信を示す。
【００３５】
本発明の他の態様によれば、チャンネル状態情報（ＣＳＩ）を送信するユーザ端末（ＵＥ）装置であって、上記ＣＳＩは報告モードを有し、物理的アップリンク共有チャンネル（ＰＵＳＣＨ）を介して送信されるユーザ端末（ＵＥ）装置が提供される。上記装置は、上記ＰＵＳＣＨ送信をスケジューリングするためにダウンリンク制御情報（ＤＣＩ）フォーマットを受信する受信機であって、上記ＤＣＩフォーマットはＣＳＩプロセスセットに対するＣＳＩ送信を表示するＣＳＩ要請フィールドを含む上記受信機と、上記ＰＵＳＣＨで上記ＣＳＩ送信を送信する送信機を含み、上記ＣＳＩ要請フィールドは、上記ＣＳＩが基準信号の測定と関連した単一のＣＳＩプロセスに関するものである場合、第１ビットで表され、また上記ＣＳＩ要請フィールドは上記ＣＳＩが複数のＣＳＩプロセスセットのうちから選択された少なくとも１つのＣＳＩプロセスセットに関するものである場合、第２ビットで表され、上記各々のＣＳＩプロセスセットは各々の基準信号の測定と関連し、また上記少なくとも１つのＣＳＩプロセスセットの選択は上記ＣＳＩ要請フィールド値に基づき、上記第２ビットは上記第１ビットより大きい。
【００３６】
本発明の他の態様、長所、及び顕著な特徴は、添付した図面と共に、本発明の例示的な実施形態を開示した次の詳細な説明から当業者に明らかになる。
【図面の簡単な説明】
【００３７】
本発明の上記及び他の態様、特徴、及び利点は添付図面と共に取られた次の詳細な説明から明らかになる。
【００３８】
【図１】従来技術に従うアップリンク（ＵＬ）送信時間間隔（ＴＴＩ）の物理的ＵＬ共有チャンネル（ＰＵＳＣＨ）送信構造を示すダイヤグラムである。
【図２】従来技術に従うＰＵＳＣＨ用ユーザ端末（ＵＥ）送信機を示すブロック図である。
【図３】従来技術に従うＰＵＳＣＨ用ＮｏｄｅＢ受信機のブロック図を示す図である。
【図４】本発明の例示的な実施形態に従う各々のＣＳＩプロセスに対する２つの非周期的チャンネル状態情報（ＣＳＩ）報告モードの上位階層シグナリングによる構成を示すダイヤグラムである。
【図５】本発明の例示的な実施形態に従うＣＳＩ要請フィールドの従来解釈のためのＣＳＩプロセスセット１に対する非周期的ＣＳＩ報告、及びＣＳＩプロセスセット２に対する非周期的ＣＳＩ報告を示すダイヤグラムである。
【図６】本発明の例示的な実施形態に従う循環シフト（ＣＳ）及び直交カバーリングコード（Orthogonal Covering Code；ＯＣＣ）フィールドからビットを用いたＣＳＩ要請フィールドの内在的拡張を示すダイヤグラムである。
【００３９】
図面の全般に亘って類似な参照符号は、同一または類似な要素、特徴、及び構造を図示することに使われる。
【発明を実施するための形態】
【００４０】
以下、添付図面を参照して本発明をより完全に説明するようにする。しかしながら、本発明は多数の相異する形態で具現されることもでき、ここに記述された実施形態に限定されるものと解釈されてはならない。むしろ、これら実施形態が提供されることによって、本発明が徹底し、かつ完全になるものであり、当業者に本発明の範疇を完全に伝達するようになる。
【００４１】
以下に記述される例示的な実施形態によれば、ＮｏｄｅＢ及びユーザ端末（ＵＥ）は相異する測定と関連した複数の非周期的な状態情報（Channel State Information；ＣＳＩ）プロセスをサポートする。ＵＥが各々のアクティブＵＬダウンリンク（ＤＬ）セルに対する単一非周期的ＣＳＩ報告プロセスに設定される従来技術の動作とは異なり、以下に記述される例示的な実施形態は、各々のアクティブＤＬセルに対する複数の非周期的ＣＳＩ報告プロセスに設定されるＵＥを立証する。前述したように、第１非周期的ＣＳＩプロセスは従来の非周期的ＣＳＩ報告と関連付けられている測定と関連付けることができ、第２非周期的ＣＳＩプロセスは従来技術の周期的ＣＳＩ報告と関連付けられている測定と関連付けることができる。これとは異なり、第１非周期的ＣＳＩプロセスは第１のＤＬ基準信号（Reference Signal；ＲＳ）と関連した測定と関連することができ、第２非周期的ＣＳＩプロセスは第２のＤＬ ＲＳと関連した測定と関連付けることができる。複数の非周期的ＣＳＩプロセスは、ＤＬキャリアアグリゲーション（Carrier Aggregation；ＣＡ）またはＤＬ統合多重ポイント（Coordinated Multiple Point；ＣｏＭＰ）をサポートするためにＮｏｄｅＢにより使用される場合がある。
【００４２】
図４は、本発明の例示的な実施形態に従ってＮｏｄｅＢからＵＥへの各々のＣＳＩプロセスに対する２つの非周期的ＣＳＩ報告モードの上位階層シグナリングによる設定を図示する。
【００４３】
図４を参照すると、ＵＥは、通信システムのスペック（specification）から第１非周期的ＣＳＩが報告されることによって、ＵＥにＣＳＩプロセスセット１（４１０）に対するモードが通知されることができ、第２非周期的ＣＳＩはＣＳＩプロセスセット２（４２０）に対するモードで通知されることが分かる。各々のアクティブＤＬセルにおいて、ＵＥはＣＳＩプロセスセット１に対して第１非周期的ＣＳＩ報告モードを設定する第１上位階層シグナリングを受信する（４３０）。また、ＵＥはＣＳＩプロセスセット２に対して第２非周期的ＣＳＩ報告モードを設定する第２上位階層シグナリングを受信する（４４０）。本例示的な実施形態に従って、ＣＳＩプロセスセット２に対する第２非周期的ＣＳＩ報告モードの明示的な上位階層シグナリングを有する代わりに、このモードは予め決定された方式によりＣＳＩプロセスセット１に対する第１非周期的ＣＳＩ報告モードにリンクできる。この場合、単一の上位階層シグナリングのみがＣＳＩプロセスセット１に対する第１非周期的ＣＳＩ報告モードを設定するために、ＵＥに提供できる。例えば、ＣＳＩプロセスセット１に対する第１非周期的ＣＳＩ報告モードが空間マルチプレキシングを使用する物理的ＤＬ共有チャンネル（Physical DL Shared CHannel；ＰＤＳＣＨ）送信に対応する場合、ＣＳＩプロセスにセット２に対する各々の第１非周期的ＣＳＩモードは同一なＰＤＳＣＨ送信モード（Transmission Mode；ＴＭ）に対応するように内在的に選択されることができ、追加の上位階層シグナリングを必要としない。
【００４４】
他の例示的な実施形態によると、ＮｏｄｅＢはそれが物理的アップリンク共有チャンネル（Physical Uplink Shared CHannel；ＰＵＳＣＨ）を使用して、アクティブＤＬセルに対する非周期的ＣＳＩをＣＳＩプロセスセット１に対する報告モードで報告するか、またはＣＳＩプロセスセット２に対する報告モードで報告するか否かをＵＥに動的に示すことができる。
【００４５】
例えば、ＵＥがＣＳＩプロセスセット１に対する報告モードまたはＣＳＩプロセスセット２に対する報告モードのうち、いずれか１つに非周期的ＣＳＩを報告するように設定された第１ケースでは、＜表１＞のＣＳＩ要請フィールドの値が＜表２＞に表したようになるように再解釈される。
【００４６】
【表２】
2015510720.tif 000009
【００４７】
＜表２＞の最初の３個のエントリーは＜表１＞のものと同一でありえるが、最後のエントリー‘１１’に対するものは、ＣＳＩプロセスセット２に対する非周期的ＣＳＩ報告モードをサポートするように修正されている。ＣＳＩプロセスセット２に対する非周期的ＣＳＩ報告モードが報告されるＤＬアクティブセルは、ＣＳＩプロセスセット１に対するモードを有するＤＬアクティブセルと相異することがある。例えば、ＵＥからの物理的ＵＬ制御チャンネル（ＰＵＣＣＨ）送信のＵＬセルにリンクされたＤＬアクティブセルは、ＣＳＩプロセスセット２に対する非周期的ＣＳＩを有する第２セルのセットに含まれないこともある。これは、該当セルに対する周期的ＣＳＩ報告が任意の他のアクティブセルからの周期的ＣＳＩ報告よりＵＥにより優先順位になることと仮定され、一般的に各々の周期的ＣＳＩ報告はＰＵＣＣＨを介して獲得できるためである。
【００４８】
これとは異なり、第１ケースの変形として、ＣＳＩ要請フィールドの解釈は＜表１＞のように維持されることによって、ＣＳＩプロセスセット１に対する非周期的ＣＳＩ報告に対応するようにし、かつＵＥはＣＳＩ要請フィールドにより表示されたセルのセットに含まれていないアクティブセルのＣＳＩプロセスセット２に対する非周期的ＣＳＩ報告を含むこともできる。しかしながら、ＣＳＩ要請フィールドの値が‘０１’であり、ＣＳＩプロセスセット１に対する非周期的ＣＳＩがサービングＤＬセルのみのために要請されるケースでは例外がありうる。例えば、３個のＤＬアクティブセルを有し、またＣＳＩプロセスセット２に対する非周期的ＣＳＩを報告するように設定されたＵＥにおいて、ＣＳＩ要請フィールドがＣＳＩプロセスセット１に対するＵＥは関連ＰＵＳＣＨでの第１及び第３のＤＬアクティブセルに対する非周期的ＣＳＩ報告を含まなければならないことを表す場合、ＵＥは第２のＤＬアクティブセルのＣＳＩプロセスセット２に対する非周期的ＣＳＩ報告をまた含む。
【００４９】
図５は、本発明の例示的な実施形態に従って、ＣＳＩ要請フィールドの従来技術解釈のためのＣＳＩプロセスセット１に対する非周期的ＣＳＩ報告及びＣＳＩプロセスセット２に対する非周期的ＣＳＩ報告を図示する。
【００５０】
図５を参照すると、ステップ５１０で、ＵＥは物理的ＤＬ制御チャンネル（Physical DL Control Channel；ＰＤＣＣＨ）により伝達されるＤＬ制御情報（DL Control Information；ＤＣＩ）フォーマットに含まれたＣＳＩ要請フィールドを受信し、ＵＥはＰＵＳＣＨ送信をスケジューリングする。次に、ステップ５２０で、ＤＣＩフォーマット内のＣＳＩ要請フィールドの値は、ＵＥがサービングセルのセットのＣＳＩプロセスセット１からの非周期的ＣＳＩ報告を含むことと表しているか否かが決定される。ステップ５２０に決定されたように、ＣＳＩプロセスセット１からの非周期的ＣＳＩ報告が含まれている場合、ステップ５３０で、ＵＥはアクティブセルのセットに含まれているが、ＣＳＩ要請フィールドの値で表示されていない、アクティブセルのセットのＣＳＩプロセスセット２からの非周期的ＣＳＩ報告をまた含む。
【００５１】
第１ケースの長所は、ＤＣＩフォーマット内のＣＳＩ要請フィールドに割り当てられるビットの数を増加させないので、ＰＤＣＣＨで各々のオーバーヘッドを増加させないということである。しかしながら、第１ケースでは、非周期的ＣＳＩ報告を表す柔軟性が制限されることがあり、これによって、このような報告の機能を制限する。また、＜表１＞の従来技術の機能と比較して、＜表２＞のＣＳＩ要請フィールドに対する機能的な柔軟性は、ＣＳＩプロセスセット１またはＣＳＩプロセスセット２のうち、いずれか１つからの各非周期的ＣＳＩ報告のためにアクティブセルを選択することに対し、約２の因数（factor）だけ減少できる。
【００５２】
ＵＥがＰＵＳＣＨを使用してＣＳＩプロセスセット１に対する報告モードまたはＣＳＩプロセスセット２に対する報告モードのうちの１つで非周期的ＣＳＩを報告するように設定された第２のケースでは、ＣＳＩ要請フィールドが従来技術のＣＳＩ要請フィールド（＜表１＞参照）と比較して追加的なビットを含むことができ、追加的なビットを含むＣＳＩ要請フィールドは＜表３＞に表すような構造を有することができる。
【００５３】
【表３】
2015510720.tif 000010
【００５４】
＜表１＞及び＜表２＞でのＣＳＩ要請フィールドのサイズである２ビットから＜表３＞に表すような３ビットのサイズにＣＳＩ要請フィールドのサイズを増加させることは、ＣＳＩプロセスセット１からのモードを用いた非周期的ＣＳＩ報告、またはＣＳＩプロセスセット２からのモードを用いた非周期的ＣＳＩ報告がＰＵＳＣＨで報告されるＤＬアクティブセルを表す柔軟性を増加させることができる。また、セット１からの非周期的ＣＳＩ報告を有するＤＬアクティブセルとセット２からの非周期的ＣＳＩ報告を有するＤＬアクティブセルの組合せが、‘１１０’及び‘１１１’のＣＳＩ要請フィールド値を有する＜表３＞の例のようにサポートできる。
【００５５】
非周期的ＣＳＩ報告に対する柔軟性の増加はＣＳＩ要請フィールドのサイズ増加と関連がある。しかしながら、ＣＳＩ要請フィールドサイズの明示的な増加は、ＣＳＩ要請フィールドがこのようなマルチプレキシングを表す場合に非周期的ＣＳＩがマルチプレキシングされるＰＵＳＣＨをスケジューリングするＰＤＣＣＨにより伝達される、ＤＣＩフォーマット内の他のフィールドからビットを使用して、内在的にそのサイズを増加させることによって防止できる。例えば、ＤＣＩフォーマットはＰＵＳＣＨでのＵＬ ＲＳに対するＣＳ及びＯＣＣを表す３−ビットフィールドをまた含むこともできる。ＵＥがＰＵＳＣＨで非周期的ＣＳＩをマルチプレキシングしなければならないことを表した２−ビットＣＳＩ要請フィールドを有するケースでは、ＣＳ及びＯＣＣフィールドのうちの１ビットがＣＳＩ要請フィールドを補充することに使われることができ、これによって３−ビットを使用してＣＳＩ要請フィールドを伝達することができ、ここで、‘０００’及び‘００１’状態は２−ビットＣＳＩ要請フィールドのケースでの‘００’状態であり、残りの状態は＜表３＞で表すようになることができる。
【００５６】
図６は、本発明の例示的な実施形態に従うＣＳ及びＯＣＣフィールドからのビットを使用するＣＳＩ要請フィールドの内在的拡張を図示する。
【００５７】
図６を参照すると、ステップ６１０で、ＵＥはＤＣＩフォーマット内に従来技術のＣＳＩ要請フィールドを受信する。そして、ステップ６２０で、従来技術のＣＳＩ要請フィールドが関連したＰＵＳＣＨでのＣＳＩマルチプレキシングを表すか否か、即ちＣＳＩ要請の値が‘００’か否かが決定される。ＣＳＩ要請の値が‘００’でない場合、ＵＥはＣＳＩ要請フィールドの一部になるＣＳ及びＯＣＣフィールドからの１ビットを考慮し、これによってステップ６３０でＣＳ及びＯＣＣフィールドから１ビットを含めることによりＣＳＩ要請フィールドを拡張する。そうでない場合、ＵＥはＣＳＩ要請フィールドに対する従来技術の解釈を適用し、ステップ６４０で従来技術のＣＳ及びＯＣＣフィールドを使用する。‘００１’状態が拡張されたＣＳＩ要請フィールドに追加ビットが最後に配置されるケースでは適用できないことの他には、ＵＥは従来技術のＣＳＩ要請フィールドからのビット及びＣＳとＯＣＣフィールドからの追加ビットを考慮して、＜表３＞に表すようにその状態が解釈できる拡張されたＣＳＩ要請フィールドを形成することができる。
【００５８】
特定の好ましい実施形態を参照して本発明を図示及び説明したが、添付した特許請求範囲により規定される本発明の思想及び範疇から逸脱しない範囲内で形態及び細部事項に対する多様な変更が可能であることを当業者は理解することができる。
【符号の説明】
【００５９】
２００  送信機
２２０  マルチプレクサ
２３０  ユニット
２４０  サブ−キャリアマッピングユニット
２６０  ユニット
２８０  タイムウィンドーイングユニット
３００  受信機
３２０  タイムウィンドーイングユニット
３３０  除去ユニット
３４０  高速フーリエ変換（Ｆａｓｔ  Ｆｏｕｒｉｅｒ  Ｔｒａｎｓｆｏｒｍ；ＦＦＴ）ユニット
３５０  サブ−キャリアデマッピングユニット
３６０  受信帯域幅用制御器
３７０  （Ｉｎｖｅｒｓｅ  ＤＦＴ）ユニット
３７０  ユニット
【図１】
2015510720.tif 000011
【図２】
2015510720.tif 000012
【図３】
2015510720.tif 000013
【図４】
2015510720.tif 000014
【図５】
2015510720.tif 000015
【図６】
2015510720.tif 000016
【国際調査報告】
2015510720.tif 000017
2015510720.tif 000018